(57)【要約】【課題】リストバンド２の送信データとロッカー装置１のロッカーＩＤにより解錠するロッカーシステムにおいて、利用中のロッカー装置１に対して清掃用リストバンド２で解錠できないようにして、防犯性を高める。【解決手段】フロントのパーソナルコンピュータ３で利用者のチェックイン／チェックアウトを管理する。リーダーライター３１を介して清掃用リストバンド２とパーソナルコンピュータとでデータの授受を行う。清掃用リストバンド２の清掃用コード以外のデータを削除し、チェックアウト済みのロッカー装置１に対応するロッカー番号（ロッカーＩＤ）を清掃用リストバンド２に書き込む。ロッカー装置１で、リストバンド２から清掃用コードが受信された場合、リストバンド２内のロッカー番号中に当該ロッカー装置１のロッカー番号があった場合のみ、錠装置１２を解錠する。【選択図】図１
2009084837.tif 000002
【特許請求の範囲】
【請求項１】
携帯送受信手段との間でデータを送受信する送受信部と、
予め設定された固有のロッカーＩＤと前記送受信部で受信した前記携帯送受信手段からのロッカーＩＤとを照合してロッカーボックスの解錠を制御する制御部とを有するロッカー装置において、
前記制御部は、前記携帯送受信手段から特定の管理コードを受信した場合、該携帯送受信手段からのデータ中に当該ロッカー装置のロッカーＩＤが有るかを判定し、該ロッカーＩＤを検出した場合に前記ロッカーボックスを解錠することを特徴とするロッカー装置。
【請求項２】
請求項１の複数のロッカー装置と、
記憶手段に記憶しているデータを送信する複数の携帯送受信手段と、
前記複数のロッカー装置の使用状態及び非使用状態を管理するとともに、前記携帯送受信手段に対するデータの書き込み及び読み出しを行う読み書き手段を有する管理手段と備え、
前記管理手段が、特定の管理コードを有する前記携帯送受信手段の前記記憶手段に対して、前記非使用状態であるロッカー装置のロッカーＩＤを書き込むとともに、該記憶手段に前記使用状態のロッカー装置のロッカーＩＤが記憶されている場合は該ロッカーＩＤを消去するようにしたことを特徴とするロッカーシステム。
【発明の詳細な説明】
【技術分野】
【０００１】
本発明は、温泉施設やスポーツ施設等で利用者が利用するロッカーシステムに関わり、ＩＣチップを内装したリストバンド等の携帯送受信手段を接近させることにより非接触でロッカー装置を解錠するようにした、ロッカー装置及びロッカーシステムに関する。
【背景技術】
【０００２】
従来、この種のロッカーシステムにおいて、利用者の施設への入館時にはＩＣチップを内蔵したリストバンドを渡し、指定された更衣ロッカー（ロッカー装置）を使用するように運用している施設がある。ロッカー装置は各ロッカー扉毎にＩＣリーダが備えられており、ロッカー装置側に登録されたＩＤコードとリストバンドがかざされた時に読み取ったＩＤコードとを照合してロッカー装置の解錠を制御している。このようなロッカーシステムは、例えば特許文献１に開示されている。
【０００３】
また、利用者が施設をチェックアウトした後は、使用していたロッカーを掃除、点検する必要がある。このために、係員専用の清掃用リストバンドを用意し、ロッカー装置に清掃用リストバンドの特定のＩＤコードを登録して運用している。そして、この特定のＩＤコードが受信されると解錠するようになっている。
【特許文献１】特開２００３−１０９１１０号公報
【発明の開示】
【発明が解決しようとする課題】
【０００４】
前記のような従来のシステムでは、リストバンドのＩＣチップのユニークデータ（シリアル番号等）をＩＤコードとして運用している場合が多く、清掃用リストバンドの特定のＩＤコードも、このＩＣチップのユニークデータを用い、特定のＩＤコードとして予め全ロッカー装置に登録しておく。これによって、清掃係員が清掃用リストバンドを持っていればどのロッカー装置でも必要な時に解錠することができるものであるが、利用者が使用中のロッカー装置を開けることも可能となってしまい、防犯性という点で改良の余地を残している。
【０００５】
本発明は、清掃用リストバンドのように管理者用の携帯送受信手段により、ロッカー装置を解錠するにあたり、利用者が使用中のロッカー装置に解錠を規制することで防犯性を高めることを課題とする。
【課題を解決するための手段】
【０００６】
請求項１のロッカー装置は、携帯送受信手段との間でデータを送受信する送受信部と、予め設定された固有のロッカーＩＤ（例えばロッカー番号）と前記送受信部で受信した前記携帯送受信手段からのロッカーＩＤとを照合してロッカーボックスの解錠を制御する制御部とを有するロッカー装置において、前記制御部は、前記携帯送受信手段から特定の管理コードを受信した場合、該携帯送受信手段からのデータ中に当該ロッカー装置のロッカーＩＤが有るかを判定し、該ロッカーＩＤを検出した場合に前記ロッカーボックスを解錠することを特徴とする。
【０００７】
請求項２のロッカーシステムは、請求項１の複数のロッカー装置と、記憶手段に記憶しているデータを送信する複数の携帯送受信手段と、前記複数のロッカー装置の使用状態及び非使用状態を管理するとともに、前記携帯送受信手段に対するデータの書き込み及び読み出しを行う読み書き手段を有する管理手段と備え、前記管理手段が、特定の管理コードを有する前記携帯送受信手段の前記記憶手段に対して、前記非使用状態であるロッカー装置のロッカーＩＤを書き込むとともに、該記憶手段に前記使用状態のロッカー装置のロッカーＩＤが記憶されている場合は該ロッカーＩＤを消去するようにしたことを特徴とする。
【発明の効果】
【０００８】
請求項１のロッカー装置によれば、ＩＣチップを内蔵したリストバンド等の携帯用送受信手段でロッカーボックスを解錠できるロッカー装置において、掃除用リストバンドのように特定の管理コード（例えば清掃用コード）を有する特定の携帯用送受信手段の場合には、そのデータに当該ロッカー装置のロッカーＩＤが有る場合にロッカーボックスを解錠するので、その特定の携帯用送受信手段に、チェックアウトの済んだロッカー装置のロッカーＩＤを記憶しておくだけで、その清掃用リストバンド等で使用中のロッカー装置の解錠できないようにできる。したがって、防犯性が向上する。
【０００９】
請求項２のロッカーシステムによれば、フロントのコンピュータなどの管理手段によりロッカー装置の使用状態（非チェックアウト）及び非使用状態（チェックアウト済み）を管理し、特定の管理コードを有する掃除用リストバンドのような特定の携帯用送受信手段に対して、チェックアウトの済んだロッカー装置のロッカーＩＤが書き込まれるので、請求項１と同様に、その清掃用リストバンド等で使用中のロッカー装置の解錠できないようにでき、防犯性が向上する。
【発明を実施するための最良の形態】
【００１０】
次に、本発明のロッカー装置及びロッカーシステムの実施形態を図面を参照して説明する。図１は本発明の実施形態のロッカーシステムの概略構成図、図２は実施形態のロッカー装置の要部ブロック図であり、このロッカーシステムは、複数のロッカー装置１、携帯送受信手段としてのリストバンド２、管理手段としてのパーソナルコンピュータ３とから構成されている。なお、図ではリストバンド２を１個だけ示してあるが、このリストバンド２は各ロッカー装置１の数に相当する分と、清掃係員が所持するものと、複数のリストバンドを備えている。
【００１１】
各ロッカー装置１は、リストバンド２と送受信を行うための送受信部１１、ロッカーボックスを施錠及び解錠する錠装置（電気錠）１２、マイコン等で構成された制御部１０（図２）錠及びロッカー番号１3を備えている。パーソナルコンピュータ３は、このロッカーシステムを設置した施設のフロント等に配設されるものであり、このパーソナルコンピュータ３には、リストバンド２との送受信を行ってリストバンド２に記憶されているデータの読み取りと書き込みを行うためのリーダーライター３１が接続されている。
【００１２】
ここで、各リストバンド２に記憶されているＩＤは各ロッカー装置１に対応するロッカーＩＤ（この実施形態ではばロッカー番号）であり、それぞれ異なるコードである。また、リストバンド２は、受信回路やメモリ回路などのＩＣタグを内蔵し、その外装部分はフレキシブルな合成樹脂で形成されている。さらに、リーダーライター３１は、リストバンド２のＩＤコード、ロッカーＩＤ等のデータの読み取りや、リストバンド２のロッカーＩＤの消去及び書き込み機能を有している。
【００１３】
各ロッカー装置１において、制御部１０は、電源の投入により送受信部１１を制御してリストバンド２への電源供給のための特定電波を常に送信するとともに、送受信部１１でのリストバンド２からの受信状態を確認する。また、制御部１０はＲＡＭ、ＲＯＭ及びＥＥＰＲＯＭを備えている。そのロッカー装置１に固有のロッカー番号（ロッカーＩＤ）はＥＥＰＲＯＭに記憶され、後述の制御プログラムはＲＯＭに記憶している。そして、この制御プログラムに基づいてＲＡＭのワーキングエリアを使用してロッカー装置１の制御を行う。なお、制御部１０は錠装置１２まわりの図示しない各種スイッチやセンサ等により当該ロッカー装置１の扉の開閉状態の検出、ソレノイドの駆動制御等により施錠／解錠の制御を行う。
【００１４】
このロッカーシステムの運用時には次のようにする。利用者がフロントで申し込むと、管理者はリストバンド２（ロッカー装置１）を選ぶ。そして、パーソナルコンピュータ３の制御により所定の操作を行って、そのリストバンド２のＩＤコードをリーダーライター３１で読み取っておき、そのリストバンド２を利用者に手渡す。この読み取ったＩＤコードはパーソナルコンピュータ３で利用者の情報として記憶し、料金の課金処理や精算処理等の各種の管理情報として利用する。
【００１５】
また、この読み取ったＩＤコードにより、対応するロッカー装置１は利用者がチェックインしたものとして管理する。利用者は、受け取ったリストバンド２をロッカールーム等に持っていき、指定されたロッカー装置１の送受信部（アンテナ部）１１にリストバンド２を接近させることにより、ロッカー装置１のロッカーボックスを解錠してロッカー装置１を使用する。
【００１６】
施設の利用が終わったときは、フロントにリストバンド２を返却すると、管理者はリーダーライター３１でリストバンド２のＩＤコード及び対応するロッカー装置１のロッカー番号を読みとる。パーソナルコンピュータ３で、ＩＤコードに基づいて精算等を行うとともに、この精算が終了すると、パーソナルコンピュータ３はその読み取ったロッカー番号（ロッカーＩＤ）に基づいて対応するロッカー装置１をチェックアウト済みとして管理する。
【００１７】
また、一日のうちで定期的に清掃を行う場合など、清掃係員に清掃用リストバンド２を所持させるが、その前にこの清掃用リストバンド２に対しては、リーダライター３１により清掃用リストバンド２のメモリ（記憶手段）にロッカー番号（ロッカーＩＤ）を書き込む。このとき、まず、清掃用リストバンド２のメモリに記憶されているデータのうち、清掃用コード以外のデータ（ロッカー番号）を消去し、パーソナルコンピュータ３で管理しているチェックイン及びチェックアウト済みの管理情報に基づいて、現在チェックアウト済みとなっているロッカー装置１のロッカー番号のみを清掃用リストバンド２のメモリに書き込む。これにより、清掃係員は、清掃用リストバンド２のメモリに書き込まれたチェックアウト済みのロッカー装置１のみを、そのロッカー番号により解錠することができる。
【００１８】
図３はロッカー装置１の制御部１０における制御プログラムの要部フローチャート、図４はパーソナルコンピュータ３における要部処理のフローチャートであり、同図に基づいて実施形態の動作を説明する。なお、この実施形態では、ロッカー装置１は初期状態では解錠状態（解錠待機）の例である。
【００１９】
図３において、ロッカー装置１の電源の投入等によって制御が開始されると、先ず、ステップＳ１で、送受信部１１でリストバンド２のデータの受信（読み取り）が有るかを監視する。リストバンド２からのデータの受信が有れば、ステップＳ２で、受信したデータ中のコードが清掃用コードであるか否かを判定する。清掃用コードでなければ、清掃用リストバンド２ではないので、ステップＳ３〜Ｓ１０で利用者のリストバンド２に対応する処理を行い、清掃用コードであれば、ステップＳ１１〜Ｓ１４で清掃用リストバンド２に対応する処理を行う。
【００２０】
ステップＳ３では、受信したデータ中のコードが当該ロッカー装置１のロッカー番号と一致するかを判定し、一致しなければ、ステップＳ４でエラー音を発してステップＳ１に戻る。データ中のコードがロッカー番号と一致すれば、ステップＳ５で錠装置１２を解錠してステップＳ６に進む。ステップＳ６では所定秒数内に扉が開けられるかを判定し、判定がＮｏならステップＳ１０で錠装置１２を施錠してステップＳ１に戻る。判定がＹｅｓなら（扉が開けられれば）、ステップＳ７で扉が閉じられるのを監視し、扉が閉じられれば、ステップＳ８でリストバンド２のデータの受信（読み取り）が有るかを監視する。
【００２１】
そして、リストバンド２からのデータの受信が有れば、ステップＳ９で、受信したデータ中のコードがロッカー番号と一致するかを判定し、一致しなければ、ステップＳ８に戻り、ロッカー番号と一致すれば、ステップＳ１０で錠装置１２を施錠してステップＳ１に戻る。
【００２２】
以上の処理により、利用者は、ロッカー装置１にリストバンド２を近づけて解錠し、扉を開けることができる。また、荷物の一部取り出しや入れ替え等を行い、扉を閉めてリストバンド２をロッカー装置１に近づけると施錠することができる。なお、ロッカー扉を閉めたときに自動的に施錠されるようにしてもよい。
【００２３】
ステップＳ１１では、清掃用リストバンド２から受信した（読み取った）データ中に当該ロッカー装置１のロッカー番号（ロッカーＩＤ）が有るかを判定し、そのロッカー番号がなければステップＳ１に戻り、そのロッカー番号があればステップＳ１２で錠装置１２を解錠してステップＳ１３に進む。ステップＳ１３では扉が閉じられるのを監視し、扉が閉じられれば、ステップＳ１４で錠装置１２を施錠してステップＳ１に戻る。
【００２４】
図４のパーソナルコンピュータ３の処理は管理モード等から清掃用リストバンドの処理を選択して起動する。まず、ステップＳ２１の判定とステップＳ２４での終了指示の判定により、リーダーライター３１でリストバンド２のデータの受信（読み取り）が有るかを監視する。なお、ステップＳ２７では終了指示があれば処理を終了し、終了指示がなければステップＳ２１に戻る。ステップＳ２１で、リストバンド２からのデータの受信が有れば、ステップＳ２２で、受信したデータ中のコードが清掃用コードであるか否かを判定する。清掃用コードでなければ、エラー表示を行ってステップＳ２７に進む。
【００２５】
清掃用コードであれば、ステップＳ２４〜Ｓ２６で清掃用リストバンド２に対応するロッカー番号の書き込み処理を行ってステップＳ２７に進む。ステップＳ２４では、清掃用リストバンド２のメモリに記憶されているデータのうち、清掃用コード以外のすでに書き込まれているデータ（前回のチェックアウト済みのロッカー番号）を消去する。次に、ステップＳ２５でパーソナルコンピュータ３の記憶装置等をアクセスして、管理データの中からチェックアウト済みのロッカー装置のロッカー番号をサーチする。そして、ステップＳ２６で、そのチェックアウト済みのロッカー装置のロッカー番号をリストバンド２に書き込み、ステップＳ２７に進む。
【００２６】
以上の処理により、清掃係員は、清掃あるいは点検時には、清掃用リストバンド２によりチェックアウト済みのロッカー装置１については解錠することができるが、利用者が利用中のロッカー装置１については解錠することができないので、防犯性が高まる。
【００２７】
以上の実施形態では、ロッカー装置を解錠するためのロッカーＩＤとしてロッカー番号の例を説明したが、各ロッカー装置及びリストバンドに固有のデータであればよい。
【００２８】
また、実施形態では、清掃用リストバンドで解錠した場合には、ロッカー扉を閉めると自動施錠されるものとして説明したが、利用者の場合と同様に清掃用リストバンドにより施錠するようにしてもよい。
【００２９】
また、実施形態では、携帯送受信手段としてリストバンドの例について説明したが、ＩＣカード等のその他の携帯送受信手段でもよい。
【図面の簡単な説明】
【００３０】
【図１】本発明の実施形態のロッカーシステムの概略構成図である。
【図２】実施形態のロッカー装置の要部ブロック図である。
【図３】実施形態のロッカー装置の制御部における制御プログラムの要部フローチャートである。
【図４】実施形態のパーソナルコンピュータ３における要部処理のフローチャートである。
【符号の説明】
【００３１】
１          ロッカー装置
２          リストバンド（形態送受信手段）
３          パーソナルコンピュータ
１１        送受信部
１２        錠装置
３１        リーダーライター
【図１】
2009084837.tif 000003
【図２】
2009084837.tif 000004
【図３】
2009084837.tif 000005
【図４】
2009084837.tif 000006